(57)【要約】【課題】キー入力の利便性を向上することが可能な携帯端末を提供する。【解決手段】入力情報制御部２０３は、センサーデバイス２０１にて複数のキーのいずれか一つが接触されたことが検知されると、その検知されたキーと異なるキーが接触されているか否かを判定する。制御部２０４は、入力情報制御部２０３にてその異なるキーが接触されていると判定されてから記憶部２０２が記憶した入力保留時間が経過するまで、その検知されたキーの接触が続くと、その検知されたキーに割り当てられた機能を実行する。【選択図】図２
2008158618.tif 000002
【特許請求の範囲】
【請求項１】
入力保留時間を記憶する記憶部と、
機能が割り当てられた複数のキーと、
各キーが接触されたか否かをキーごとに検知する検知部と、
前記検知部にて前記複数のキーのいずれか一つが接触されたことが検知されると、該検知されたキーと異なるキーが既に接触されているか否かを判定する判定部と、
前記判定部にて前記異なるキーが接触されていると判定されてから前記入力保留時間が経過するまで、前記検知されたキーの接触が続くと、該検知されたキーに割り当てられた機能を実行する制御部と、を含む携帯端末。
【請求項２】
請求項１に記載の携帯端末において、
前記制御部は、前記判定部にて前記異なるキーが接触されていないと判定された場合、前記検知されたキーに割り当てられた機能を実行する、携帯端末。
【請求項３】
請求項１または２に記載の携帯端末において、
前記制御部は、前記検知されたキーに割り当てられた機能を実行してから前記入力保留時間が経過するまで、前記検知されたキーの接触が続くと、該検知されたキーに割り当てられた機能を再び実行する、携帯端末。
【請求項４】
入力保留時間を記憶する記憶部と、機能が割り当てられた複数のキーと、を含む携帯端末が行なう入力方法であって、
各キーが接触されたか否かをキーごとに検知する検知ステップと、
前記複数のキーのいずれか一つが接触されたことが検知されると、該検知されたキーと異なるキーが既に接触されているか否かを判定する判定ステップと、
前記異なるキーが接触されていると判定されてから前記入力保留時間が経過するまで、前記検知されたキーの接触が続くと、該検知されたキーに割り当てられた機能を実行する実行する実行ステップと、を含む入力方法。
【請求項５】
請求項４に記載の入力方法において、
前記異なるキーが接触されていないと判定された場合、前記検知されたキーに割り当てられた機能を実行する即実行ステップを含む入力方法。
【請求項６】
請求項４または５に記載の入力方法において、
前記検知されたキーに割り当てられた機能が実行されてから前記入力保留時間が経過するまで、前記検知されたキーの接触が続くと、該検知されたキーに割り当てられた機能を実行する再実行ステップを含む入力方法。
【発明の詳細な説明】
【技術分野】
【０００１】
本発明は、キー入力を行なう携帯端末および入力方法に関する。
【背景技術】
【０００２】
携帯端末では、キーが設けられている。ユーザは、キーを操作することで、文字情報など所望の情報を入力することができる。しかしながら、携帯端末では、その大きさから、キーの数またはキー同士の間隔などに制限がある。このため、従来のキー操作は、複雑であった。
【０００３】
例えば、ユーザは、「きく」を入力する場合、先ず、「か行」が割り当てられたキーを２度押下して、１文字目である「き」を入力する。その後、「き」を確定するために確定キーを押下し、再び、その「か行」が割り当てられたキーを３度押下して、「く」を入力する。
【０００４】
キー操作の複雑さを緩和する技術は、例えば、特許文献１（特開２００２―３５８１５４号公報）に記載されている。
【０００５】
特許文献１に記載の携帯端末では、ユーザは、「きく」を入力する場合、先ず、「か行」が割り当てられたキーを、接触を解除することなく２度押下し、その後、そのキーの接触を解除する。この携帯端末は、接触の解除を検知すると、「き」を確定する。その後、ユーザは、そのキーの接触を解除することなく３度押下して「く」を入力する。
【０００６】
このため、確定キーを押下する手間を軽減することが可能になり、このキー操作の複雑さを緩和することが可能になっている。
【特許文献１】特開２００２―３５８１５４号公報
【発明の開示】
【発明が解決しようとする課題】
【０００７】
携帯端末において、互いに異なるキーを連続して入力する場合、ユーザは、第一のキーを押下した後で、指を携帯端末から離さずに第二のキーまでスライドさせ、その後、第二のキーを押下すると、指を携帯端末から離す手間が省ける。
【０００８】
例えば、ユーザは、「あさ」と入力する場合、「あ行」が割り当てられた第一のキーを押下した後で、指を携帯端末から離さずに「さ行」が割り当てられた第二のキーまでスライドさせ、その後、その第二のキーを押下する。
【０００９】
このとき、例えば、特許文献１に記載の携帯端末では、ユーザが、第一のキーから第二のキーまで指をスライドし、そのスライド中に、「か行」が割り当てられた第三のキーと接触すると、「あかさ」と入力されてしまう。このため、利便性が損なわれる。
【００１０】
本発明の目的は、キー入力の利便性を向上することが可能な携帯端末および入力方法を提供することである。
【課題を解決するための手段】
【００１１】
上記の目的を達成するために、本発明の携帯端末は、入力保留時間を記憶する記憶部と、機能が割り当てられた複数のキーと、各キーが接触されたか否かをキーごとに検知する検知部と、前記検知部にて前記複数のキーのいずれか一つが接触されたことが検知されると、該検知されたキーと異なるキーが既に接触されているか否かを判定する判定部と、前記判定部にて前記異なるキーが接触されていると判定されてから前記入力保留時間が経過するまで、前記検知されたキーの接触が続くと、該検知されたキーに割り当てられた機能を実行する制御部と、を含む。
【００１２】
また、本発明の入力方法は、入力保留時間を記憶する記憶部と、機能が割り当てられた複数のキーと、を含む携帯端末が行なう入力方法であって、各キーが接触されたか否かをキーごとに検知する検知ステップと、前記複数のキーのいずれか一つが接触されたことが検知されると、該検知されたキーと異なるキーが既に接触されているか否かを判定する判定ステップと、前記異なるキーが接触されていると判定されてから前記入力保留時間が経過するまで、前記検知されたキーの接触が続くと、該検知されたキーに割り当てられた機能を実行する実行する実行ステップと、を含む。
【００１３】
上記の発明では、キーに割り当てられた機能が、そのキーと異なるキーが接触されていると判定されてから入力保留時間が経過するまでそのキーの接触が続くと、実行される。
【００１４】
このため、例えば、ユーザが、「あさ」と入力するとき、「あ行」が割り当てられた第一のキーから「さ行」が割り当てられた第二のキーまで、指をスライドしている途中に、「か行」が割り当てられた第三のキーと接触しても、「あかさ」と入力されることを軽減することが可能になる。したがって、キー入力の利便性を向上することが可能になる。
【００１５】
また、前記制御部は、前記判定部にて前記異なるキーが接触されていないと判定された場合、前記検知されたキーに割り当てられた機能を実行することが望ましい。
【００１６】
ユーザが、キーが接触されていない状態からキーと接触したとき、入力保留時間が経過してから、そのキーに割り当てられた機能が実行されると、ユーザは煩わしいと感じるかもしれない。
【００１７】
上記の発明によれば、キーに割り当てられた機能が、そのキーと異なるキーが接触されていないと、入力保留時間が経過しなくても実行される。
【００１８】
このため、キーが接触されていない状態からキーと接触したときにユーザが感じる煩わしさを軽減することが可能になる。
【００１９】
また、前記制御部は、前記検知されたキーに割り当てられた機能を実行してから前記入力保留時間が経過するまで、前記検知されたキーの接触が続くと、該検知されたキーに割り当てられた機能を実行することが望ましい。
【００２０】
上記の発明によれば、キーに割り当てられた機能が実行されてから入力保留時間が経過するまで、そのキーの接触が続くと、そのキーに割り当てられた機能がさらに実行される。
【００２１】
このため、ユーザは、携帯端末に同じキーに割り当てられた機能を連続して実行させる場合、携帯端末から指を離さずに、その機能を連続して実行させることが可能になる。したがって、キー入力の利便性をより向上することが可能になる。
【発明の効果】
【００２２】
本発明によれば、キー入力の利便性を向上することが可能になる。
【発明を実施するための最良の形態】
【００２３】
以下、本発明の実施例について図面を参照して説明する。
【００２４】
図１は、本発明の一実施例の携帯端末の表面図である。
【００２５】
図１において、携帯端末１００は、表示部１０１と入力部１０２とを含む。携帯端末１００は、例えば、携帯電話である。なお、携帯端末１００は、携帯電話に限らず、適宜変更可能である。
【００２６】
表示部１０１は、種々の情報を表示する。
【００２７】
入力部１０２は、キー１ないし１５を含む。本実施例では、キーの数は、１５であるが、キーの数は、１５に限定されず、複数であればよい。
【００２８】
キー１ないし１５では、機能がキーごとに割り当てられている。
【００２９】
図２は、本発明の一実施例の携帯端末の構成の一例を示したブロック図である。
【００３０】
図２において、携帯端末１００は、センサーデバイス２０１と、入力保留時間記憶部２０２と、入力情報制御部２０３と、制御部２０４とを含む。
【００３１】
センサーデバイス２０１は、検知部の一例である。
【００３２】
センサーデバイス２０１は、接触センサーデバイスであり、キー１ないし１５が接触されたか否かをキーごとに検知する。例えば、センサーデバイス２０１は、キー１ないし１５のそれぞれに応じた複数のキー対象エリアを有し、その複数のキー対象エリア内のいずれか一つが接触されると、その接触されたキー対象エリアに応じたキーが接触されたと検知する。
【００３３】
入力保留時間記憶部（以下、記憶部と称する）２０２は、入力保留時間を記憶する。入力保留時間は、キーの接触が、ユーザが入力を意図した接触か否かを判断するための時間である。例えば、ユーザがキー２を入力した後にキー９を入力する場合、ユーザが指を入力部１０２から離さずにキー２からキー９までスライドし、そのスライド中に指がキー５および６と接触したとする。このとき、キー２およびキー９の接触は、ユーザが入力を意図した接触であり、キー５およびキー６の接触は、ユーザが入力を意図していない接触である。
【００３４】
通常、ユーザが入力を意図していない接触では、ユーザが入力を意図した接触に比べて、接触時間が短い。このため、入力保留時間が適宜設定されれば、キーの接触が、そのキーの接触時間が入力保留時間未満であると、ユーザが入力を意図していない接触と判定し、そのキーの接触時間が入力保留時間以上であると、ユーザが入力を意図した接触と判定することが可能になる。
【００３５】
入力保留時間は、例えば、１秒である。なお、入力保留時間は、１秒に限らず適宜変更可能である。
【００３６】
入力情報制御部２０３は、センサーデバイス２０１にてキー１ないし１５のいずれか一つが接触されたことが検知されると、その接触が検知されたキーと異なるキーが接触されているか否かを判定する。
【００３７】
入力情報制御部２０３にてその異なるキーが接触されていない判定された場合、制御部２０４は、その検知キーに割り当てられた機能を実行する。
【００３８】
一方、入力情報制御部２０３にてその異なるキーが接触されている判定された場合、判定されてから記憶部２０２に記憶された入力保留時間が経過するまで、その検知されたキーの接触が続くと、その検知されたキーに割り当てられた機能を実行する。
【００３９】
次に動作の概要を説明する。
【００４０】
ユーザが文字入力機能を用いて「桜」を入力する場合について説明する。なお、ユーザは、「桜」を入力する前に、入力保留時間を設定する。
【００４１】
以下、キー２に「か行」が割り当てられ、キー３に「さ行」が割り当てられ、キー９に「ら行」が割り当てられているとする。また、キー１４に「変換機能」が割り当てられているとする。
【００４２】
先ず、ユーザは、キー１ないし１５の全てと接触していない状態で、キー３と接触したとする。このとき、キー３と異なるキーが接触されていないので、制御部２０４は、「さ」を表示部１０１に表示する。
【００４３】
続いて、ユーザは、キー３からキー２まで指をスライドしたとする。このとき、入力情報制御部２０３は、キー２と異なるキー３が接触されているので、ユーザがその入力保留時間が経過するまでキー２と接触し続けると、制御部２０４は、「か」を表示部１０１に表示する。
【００４４】
その後、ユーザは、全てのキーとの接触を解除し、再度キー２と接触する。このとき、キー２と異なるキーが接触されていないので、制御部２０４は、表示部１０１に表示されている「か」を「き」に変更する。
【００４５】
再度、ユーザは、全てのキーとの接触を解除し、再度キー２と接触する。このとき、キー２と異なるキーが接触されていないので、制御部２０４は、表示部１０１に表示されている「き」を「く」に変更する。
【００４６】
さらに、ユーザは、キー２からキー９まで指をスライドしたとする。このスライド中に、ユーザがキー５および６を続けて接触しても、キー５および６の接触時間が入力保留時間未満であると、制御部２０４は、キー５および６に割り当てられた機能を実行しない。例えば、キー５に「な行」が割り当てられ、キー６に「は行」が割り当てられていても、制御部２０４は、「な」および「は」を表示部１０１に表示しない。
【００４７】
その後、ユーザは、入力保留時間が経過するまでキー９と接触し続けると、制御部２０４が、「ら」を表示部１０１に表示する。
【００４８】
さらに、ユーザは、キー９からキー１４まで指を入力部１０２から離さずにスライドしたとする。そのスライド中に、ユーザがキー６、５および２を続けて接触しても、キー６、５および２との接触時間が入力保留時間未満であると、制御部２０４は、キー６、５および２に割り当てられた機能を実行しない。
【００４９】
その後、ユーザは、入力保留時間が経過するまでキー１４と接触し続けると、制御部２０４が、表示部１０１に表示されている「さくら」を「桜」に変換する。
【００５０】
次に、動作を説明する。
【００５１】
図３は、携帯端末１００の動作の一例を説明するためのフローチャートである。
【００５２】
センサーデバイス２０１は、キー１ないし１５のいずれか一つの接触を検知すると、ステップＳ３０１を実行する。
【００５３】
ステップＳ３０１では、センサーデバイス２０１は、その接触を検知したキーを示す検知信号を入力情報制御部２０３に出力する。
【００５４】
なお、センサーデバイス２０１は、そのキーの接触を検知している間は、その検知信号を出力し続ける。また、キー１ないし１５のいずれか一つの接触が解除されことを検知すると、その検知信号の出力を停止する。
【００５５】
入力情報制御部２０３は、その検知信号を受け付けると、ステップＳ３０２を実行する。
【００５６】
ステップＳ３０２では、入力情報制御部２０３は、検知信号が示す検知キーと異なるキーを示す検知信号を受け付けているか否かを確認して、その異なるキーが接触されているか否かを判定する。このとき、入力情報制御部２０３は、その異なるキーを示す検知信号を受け付けていると、その異なるキーが接触されていると判定し、その異なるキーを示す検知信号を受け付けていないと、その異なるキーが接触されていないと判定する。
【００５７】
入力情報制御部２０３は、異なるキーが接触されていると、ステップＳ３０３を実行し、異なるキーが接触されていないと、ステップＳ３０６を実行する。
【００５８】
ステップＳ３０３では、入力情報制御部２０３は、記憶部２０２から入力保留時間を取得する。入力情報制御部２０３は、入力保留時間を取得すると、接触時間の計数を開始する。入力情報制御部２０３は、接触時間の計数を開始すると、ステップＳ３０４を実行する。
【００５９】
ステップＳ３０４では、入力情報制御部２０３は、センサーデバイス２０１からの検知信号の受け付けが継続しているか否かを確認して、検知キーが接触されているか否かを判定する。なお、入力情報制御部２０３は、その検知信号の受け付けが継続していると、検知キーが接触されていると判定し、その検知信号の受け付けが継続していないと、検知キーが接触されていないと判定する。
【００６０】
入力情報制御部２０３は、検知キーが接触されていると、ステップＳ３０５を実行し、検知キーが接触されていないと、動作を終了する。
【００６１】
ステップＳ３０５では、入力情報制御部２０３は、その計数している接触時間が入力保留時間以上か否かを判定する。入力情報制御部２０３は、その接触時間が入力保留時間以上であると、ステップＳ３０６を実行し、その接触時間が入力保留時間未満であると、ステップＳ３０４を実行する。
【００６２】
ステップＳ３０６では、入力情報制御部２０３は、そのキーに割り当てられた機能を実行する旨の実行指示を制御部２０４に通知する。制御部２０４は、その実行指示を受け付けると、その検知キーに割り当てられた機能を実行する。例えば、制御部２０４は、その検知キーに割り当てられた文字を表示部１０１に表示する。
【００６３】
なお、制御部２０４による機能の実行は、当業者にとって自明であるため、詳細な説明は省略する。
【００６４】
本実施例によれば、入力情報制御部２０３は、センサーデバイス２０１にてキー１ないし１５のいずれか一つが接触されたことが検知されると、その検知されたキーと異なるキーが接触されているか否かを判定する。制御部２０４は、入力情報制御部２０３にてその異なるキーが接触されていると判定されてから記憶部２０２が記憶した入力保留時間が経過するまで、その検知されたキーの接触が続くと、その検知されたキーに割り当てられた機能を実行する。
【００６５】
この場合、キーに割り当てられた機能が、そのキーと異なるキーが接触されていると判定されてから入力保留時間が経過するまでそのキーの接触が続くと、実行される。したがって、キー入力の利便性を向上することが可能になる。
【００６６】
また、本実施例では、制御部２０４は、入力情報制御部２０３にてその異なるキーが接触されていないと判定された場合、その検知されたキーに割り当てられた機能を実行する。
【００６７】
この場合、異なるキーが接触されていないと、入力保留時間が経過しなくても、その接触されたキーに割り当てられた機能が実行される。このため、指が携帯端末１００から離れている状態から指をキーに接触させたときにユーザが感じる煩わしさを軽減することが可能になる。
【００６８】
次に、第二の実施例について説明する。以下では、主に第一の実施例と異なる構成および動作について説明する。
【００６９】
制御部２０４は、その検知キーに割り当てられた機能を実行してから記憶部２０２に記憶された入力保留時間が経過するまで、その検知されたキーの接触が続くと、その検知されたキーに割り当てられた機能を再び実行する。
【００７０】
次に動作の概要を説明する。
【００７１】
ユーザが文字入力機能を用いて「あき」を入力する場合について説明する。
【００７２】
以下、キー１に「あ行」が割り当てられているとする。
【００７３】
先ず、ユーザが、キー１ないし１５の全てと接触していない状態で、キー１と接触したとする。このとき、キー１と異なるキーが接触されていないので、制御部２０４が「あ」を表示部１０１に表示する。
【００７４】
続いて、ユーザがキー１からキー２まで指を入力部１０２から離さずにスライドしたとする。このとき、入力情報制御部２０３は、キー２と異なるキー１が接触されているので、ユーザがその入力保留時間が経過するまでキー２と接触し続けると、制御部２０４が「か」を表示部１０１に表示する。
【００７５】
その後、ユーザがキー２との接触を解除せずにさらに、入力保留時間が経過するまでキー２と接触し続けると、制御部２０４は、表示部１０１に表示されている「か」を「き」に変更する。
【００７６】
次の動作を説明する。
【００７７】
ステップＳ３０６で入力情報制御部２０３は、実行指示を制御部２０４に通知すると、接触時間の計数を開始する。
【００７８】
このとき、入力情報制御部２０３は、接触時間の計数を既に開始している場合（ステップ３０２でＹＥＳの場合）、その接触時間の計数を停止し、その接触時間を０に初期化した後で、新たに接触時間の計数を開始する。また、入力情報制御部２０３は、接触時間の計数を開始していない場合（ステップ３０２でＮＯの場合）、入力情報制御部２０３は、記憶部２０２に記憶された入力保留時間を取得した後で、接触時間の計数を開始する。
【００７９】
入力情報制御部２０３は、接触時間の計数を開始すると、ステップＳ３０４を実行する。
【００８０】
本実施例によれば、制御部２０４は、その検知キーに割り当てられた機能を実行してから記憶部２０２に記憶された入力保留時間が経過するまで、その検知されたキーの接触が続くと、その検知されたキーに割り当てられた機能を再び実行する。
【００８１】
この場合、ユーザは、携帯端末１００に同じキーに割り当てられた機能を連続して実行させる場合、携帯端末１００から指を離さずに、その機能を連続して実行させることが可能になる。したがって、キー入力の利便性をより向上することが可能になる。
【００８２】
以上説明した各実施例において、図示した構成は単なる一例であって、本発明はその構成に限定されるものではない。
【００８３】
例えば、制御部２０４が行なう機能として、文字入力機能を用いて説明したが、その機能は、文字入力機能に限らず適宜変更可能である。
【図面の簡単な説明】
【００８４】
【図１】本発明の一実施例の携帯端末の表面図である。
【図２】本発明の一実施例の携帯端末の構成の一例を示したブロック図である。
【図３】携帯端末の動作の一例を説明するためのフローチャートである。
【符号の説明】
【００８５】
１〜１５  キー
１００    携帯端末
１０１    表示部
１０２    入力部
２０１    センサーデバイス
２０２    入力保留時間記憶部
２０３    入力情報制御部
２０４    制御部
【図１】
2008158618.tif 000003
【図２】
2008158618.tif 000004
【図３】
2008158618.tif 000005